(57)【要約】【課題】  中に入れるものが小さくなった時、バックを小さくして持つことができるトートバックを提供する。【解決手段】  本発明のトートバックは、バック本体に、上部の持ち手１と中央部の持ち手３、１０とが設けられている。バック本体中央部の脇の中央部分には、ショルダーベルト１１を取り付けるためのループ７が設けられている。このループ７には、ショルダーベルト１１のＪ型管９がつけられる。このように上部の持ち手１と中央部の持ち手３、１０を有するトートバックによれば、従来のトートバックにも設けられている上部の持ち手１で持つことができ、またバック本体の上部２の部分を折って、中央部の持ち手３、１０で持つことができる。【選択図】      図１
2005288141.tif 000002
【特許請求の範囲】
【請求項１】
バック本体に、上部の持ち手と中央部の持ち手とが設けられていることを特徴とするトートバック。
【請求項２】
バック本体の中央部に係合部が設けられ、この係合部にショルダーベルトの係合部が係合されて前記ショルダーベルトが装着可能であることを特徴とする請求項１に記載のトートバック。
【発明の詳細な説明】
【技術分野】
【０００１】
本発明は、トートバックに係り、特にバックの大きさを変えて持つことができるトートバックに関する。
【背景技術】
【０００２】
従来、このようなバックとしては、上部の持ち手にスナップ（ホック）を付け、これを付けたり、外したりして、荷物の大きさに合わせるものが知られている（例えば、特許文献１参照）。
また、従来、トートバックは、ショルダーベルトを付けても、バックの大きさを変えることができなかった。
【０００３】
【特許文献１】実用新案登録第３０６１７５２号公報
【発明の開示】
【発明が解決しようとする課題】
【０００４】
従来のトートバックでは、通常、中に入れるものが大きくても、小さくても、バックの大きさはいつも同じ大きさで変わらなかった。また、バックの大きさが変えられる特許文献１のバックでは、大きさを変えようとすると、スナップをとったり、はめたりしなければならなかったり、まるで形をかえなければならなかった。
【０００５】
本発明は、前記事情に鑑みて為されたもので、中に入れるものが小さくなった時、バックを小さくして持つことができるトートバックを提供することを目的とする。
【課題を解決するための手段】
【０００６】
前記目的を達成するために、請求項１に記載のトートバックは、バック本体に、上部の持ち手と中央部の持ち手とが設けられていることを特徴とする。
【０００７】
請求項２に記載のトートバックは、請求項１に記載の発明において、バック本体の中央部に係合部が設けられ、この係合部にショルダーベルトの係合部が係合されて前記ショルダーベルトが装着可能であることを特徴とする。
【発明の効果】
【０００８】
請求項１に記載のトートバックによれば、バックの中に入れるものが小さくなった時は、上の部分を折りたたんで中央部の持ち手を持ち、バックを小さくすることができる。また、上半分をバックの中に入れることによって、バックの中に入っている物を隠すことができる。
【０００９】
請求項２に記載のトートバックによれば、上の部分を前あるいは後ろに倒すなどして、ショルダーベルトをつけて肩に掛けて持ったり、斜めがけにしたりすることができる。
【発明を実施するための最良の形態】
【００１０】
以下、本発明の実施の形態を図面に基づいて説明する。
図１は、本発明の実施の形態に係る布製トートバックの斜視図であり、図２は、バック本体の上部を下部の中に入れ込んだ状態の斜視図であり、図３は、バック本体を略半分の大きさにして略中央部にある持ち手を持った状態の斜視図であり、図４は、バック本体の上部を下部の中に折り込んで、脇についているループにＪ型管を掛けて、ショルダーベルトをつけた状態の斜視図であり、図５は、バック本体の上部を前に倒し、ショルダーベルトをつけた状態の斜視図であり、図６は、本発明の実施の形態に係るトートバックにバックよりある程度長い物を入れて、ショルダーベルトをつけた状態の斜視図である。
【００１１】
本実施の形態に係るトートバックは、バック本体に、上部の持ち手１と上下方向略中央部の持ち手３、１０とが設けられている。また。バック本体の略中央部の脇の中央部分には、ショルダーベルト１１を取り付けるためのループ（係合部）７が設けられている。このループ７には、ショルダーベルト１１のＪ型管（係合部）９が取り付けられる。
【００１２】
上部の持ち手１および中央部の持ち手３、１０はともに、革の持ち手である。上部の持ち手１の裏部分にはグログランリボン０が設けられており、このグログランリボン０により、上部の持ち手１の裏部分にきれいな配色等を施すことができる。バック本体の上部２の裏に、きれいな色のグログランリボンを張り付けて配色することができる。バック本体の下部４には、中央部の持ち手３の下の所から数本のピンタックが設けられており、これにより少しふくれた物でも入れることができる。符号５および６はそれぞれ、バック本体の下部４の脇部分およびバック本体の上部２の裏部分を示している。バック本体の上下方向略中央部の持ち手３と持ち手１０とは、互いの略反対側の位置に設けられており、持ち手３と持ち手１０とを一緒に掴んでトートバックを持つことができ、さらにはこの反対側の持ち手３あるいは持ち手１０だけでトートバックを持つこともできるようになっている。ショルダーベルト１１は、革のショルダーベルトである。符号８および１２はそれぞれ、バック本体の底面および中地の裏地部分である。
【００１３】
このように構成されたトートバックにあっては、上部の持ち手１と中央部の持ち手３、１０が設けられている、すなわちバック本体に上下方向の位置が異なる持ち手が設けられているので、従来のトートバックにも設けられている上部の持ち手１で持つことができるとともに、バック本体の上部を折りたたんでバックを小さくして、中央部の持ち手３、１０で持つことができる。
また、図２に示すのように、上半分を下部の中に折り入れることによって、トートバックの中に入っている物を隠すことができる。
【００１４】
さらに、バック本体の上部を前あるいは後に折るか、または上部を下部の中に入れるかして、バックを小さくし、ループ７にショルダーベルト１１のＪ型管９を係合して、ショルダーベルト１１で持つことができる。従来は、トートバックは、ショルダーベルトを付けても、バックの大きさを変えることができなかった。
また、図６に示すように、中に入れる物が長いときでも、ショルダー掛けにしたままバックに入る大きさの物であれば、トートバックより少し長めの物も入れられる。
また、中央部の持ち手３、１０の下に数本のピンタックが設けられているので、膨らんだ物を入れることができる。
このトートバックの部品すべてを綺麗な色にしたり、チェックにしたり、または水玉模様をつけたり等々して、トートバックに色々な表情、デザインを施すようにすることもできる。
【図面の簡単な説明】
【００１５】
【図１】本発明の実施の形態に係る布製トートバックの斜視図である。
【図２】バック本体の上部を下部の中に入れ込んだ状態の斜視図である。
【図３】バック本体を半分の大きさにして略中央部にある持ち手を持った状態の斜視図である。
【図４】バック本体の上部を下部の中に折り込んで、脇についているループにＪ型管を掛けて、ショルダーベルトをつけた状態の斜視図である。
【図５】バック本体の上部を前に倒し、ショルダーベルトをつけた状態の斜視図である。
【図６】本発明の実施の形態に係るトートバックにバックよりある程度長い物を入れて、ショルダーベルトをつけた状態の斜視図である。
【符号の説明】
【００１６】
０    上部の持ち手の裏グログランリボン
１    上部の持ち手
２    バック本体の上部
３    中央部の持ち手
４    バック本体の下部
５    バック本体の下部の脇部分
６    バック本体の上部の裏部分
７    ショルダーベルトのＪ型管を掛けるためのループ（係合部）
８    底面
９    ショルダーベルトのＪ型管（係合部）
１０    反対側の中央部の持ち手
１１    ショルダーベルト
１２    中地の裏地部分
【図１】
2005288141.tif 000003
【図２】
2005288141.tif 000004
【図３】
2005288141.tif 000005
【図４】
2005288141.tif 000006
【図５】
2005288141.tif 000007
【図６】
2005288141.tif 000008